(57)【特許請求の範囲】
【請求項１】
ハンドレール、および、前記ハンドレールに接触するローラを備えるエスカレーターであって、
前記ハンドレールは、前記ハンドレールの表面を覆う第一樹脂層を備え、
前記ローラは、前記ローラの表面を覆う第二樹脂層を備え、
前記第一樹脂層および前記第二樹脂層は、抗菌剤を含有しており、
前記第一樹脂層に含まれる抗菌剤は、非溶出型抗菌剤であり、
前記第二樹脂層に含まれる抗菌剤は、溶出型抗菌剤である、エスカレーター。
【請求項２】
前記非溶出型抗菌剤は、銀、銅および亜鉛からなる群から選択される少なくとも１種の金属または金属イオンを、シリカゲル、リン酸カルシウムおよびリン酸ジルコニウムからなる群から選択される少なくとも１種の無機系担体に担持してなり、
前記溶出型抗菌剤は、銀、銅および亜鉛からなる群から選択される少なくとも１種の金属または金属イオンを、ゼオライトおよびガラスからなる群から選択される少なくとも１種の無機系担体に担持してなる、請求項１に記載のエスカレーター。
【請求項３】
前記第一樹脂層は、ゴムまたはウレタンを含み、
前記第二樹脂層は、ゴムまたは熱可塑性エラストマーを含む、請求項１または２に記載のエスカレーター。
【発明の詳細な説明】
【技術分野】
【０００１】
本開示は、エスカレーターに関する。
【背景技術】
【０００２】
一般に、デパート、駅、空港等の建造物に設置されているエスカレーター、オートライン等には、乗客を安定して搬送するために、ハンドレールと呼ばれる手すりが設けられている。また、乗客は、安全のため、エスカレーターの利用中はハンドレールを掴んでいることが望まれる。【０００３】
近年、清潔志向の高まりにより、不特定多数の人が触れる製品には抗菌加工される場合が増えている。この場合、ハンドレールも不特定多数の人が触れる製品であるため、ハンドレールの第一樹脂層の配合材料に抗菌剤が使用されたりしており、通常使用されるハンドレールとは異なる材料でハンドレールが構成されていることが多い。【０００４】
例えば、特許文献１（特開平１０−７２１８１号公報）には、化粧層（第一樹脂層）に抗菌剤を配合したハンドレールが開示されており、病院等において使用してもハンドレールを介した院内感染や雑菌付着による悪臭等の発生を低減または解消することができる旨記載されている。【０００５】
特許文献２（特開２００１−３１０９９７号公報）には、抗菌剤を含むポリウレタン樹脂により構成された回転部品が開示されており、エスカレーターのハンドレール用ではないが、病院等の医療施設で使用されるベッド、車椅子のキャスター、食品工場や医薬品工場における搬送装置等のプーリやローラとして適用した場合、細菌による汚染を効果的に防止することができる旨記載されている。
【先行技術文献】
【特許文献】
【０００６】
【特許文献１】特開平１０−７２１８１号公報
【特許文献２】特開２００１−３１０９９７号公報
【発明の概要】
【発明が解決しようとする課題】
【０００７】
しかしながら、特許文献１のように、ハンドレールの化粧層に抗菌剤を配合しても、ハンドレール自体の抗菌性は向上するが、ハンドレール駆動部のローラが抗菌加工されていないため、ハンドレールの雑菌がローラに堆積し、雑菌が繁殖し続け、ローラからハンドレールへ菌が移行し、ハンドレールが不潔な状態になる。特に、夜間にエスカレーターが停止し、翌日再稼働する際には、停止時にローラで繁殖した菌がハンドレールへ一気に移行して、ハンドレールが非常に不潔な状態になる。また、適切な抗菌剤をハンドレールの化粧層に配合しなければ、抗菌持続性が短くなる可能性がある。【０００８】
また、特許文献２のように、抗菌剤を含むポリウレタン樹脂により構成された回転部品をエスカレーターのローラに用いても、ハンドレールの抗菌加工が適切でなければハンドレールを清潔に保つことはできない。さらに、適切な抗菌剤をローラに配合しなければ、ハンドレールの抗菌持続性向上に寄与することはできない。【０００９】
このように、不特定多数の人が乗降するエスカレーターについて、ハンドレールまたはローラのみに着目した従来の抗菌加工の対策だけでは、長期間の使用において、ハンドレールを清潔な状態に保つことはできない。【００１０】
本開示は、上記課題に鑑みてなされたものであり、エスカレーターにおいて、ハンドレールの抗菌持続性を向上させることを目的とする。
【課題を解決するための手段】
【００１１】
ハンドレール、および、前記ハンドレールに接触するローラを備えるエスカレーターであって、
前記ハンドレールは、前記ハンドレールの表面を覆う第一樹脂層を備え、
前記ローラは、前記ローラの表面を覆う第二樹脂層を備え、
前記第一樹脂層および前記第二樹脂層は、抗菌剤を含有している、エスカレーター。
【発明の効果】
【００１２】
本開示では、ハンドレールの第一樹脂層に非溶出型抗菌剤が、ローラの第二樹脂層に溶出型抗菌剤が、それぞれ配合されており、ハンドレールの抗菌持続性を向上させることができる。
【図面の簡単な説明】
【００１３】
【図１】図１は、実施の形態１に係るエスカレーターシステムの一例を示す模式図である。
【図２】図２は、実施の形態１に係るハンドレール駆動部の一例を示す断面模式図である。
【図３】図３は、実施の形態１に係るローラの一例を示す拡大斜視図である。
【発明を実施するための形態】
【００１４】
以下、本開示の実施の形態について説明する。なお、図面において、長さ、幅、厚さ、深さなどの寸法関係は図面の明瞭化と簡略化のために適宜変更されており、実際の寸法関係を表すものではない。
【００１５】
実施の形態１.
＜エスカレーター＞
図１を参照して、本開示のエスカレーター１０は、ハンドレール１、および、少なくともハンドレール１の外表面に接触する加圧ローラ３を備える。
【００１６】
エスカレーター１０では、ローラ駆動方式のハンドレール駆動装置を採用しており、駆動ローラ２と加圧ローラ３でハンドレール１を挟みつけ、駆動ローラ２を回転させることによりハンドレール１を送り出す。
【００１７】
＜ハンドレール＞
本開示のハンドレールは、エスカレーターの乗客の手すりとして用いられる部材である。
【００１８】
図２を参照して、ハンドレール１００は、ガイドレール（図示せず）と接触する側に設けられる基体層１２と、基体層１２の外側（ガイドレールの反対側）の表面を覆う第一樹脂層１１と、を備える。
【００１９】
なお、ハンドレール１００は、例えば、図２に示されるように、ガイドレール（乗客コンベアの欄干）上に配置される背部と、前記背部の両端から下方に向かって延設される一対の側面部と、前記一対の側面部の下端から互いに近づく方向へ突出する一対の耳部と、を有している。なお、ハンドレール１００の横断面の形状は、例えば、図２に示されるようなＣ字状である。ハンドレール１００の背部は、例えば、Ｔ字状の断面形状を有するガイドレール（図示せず）の頂部に係合されながら、ガイドレールに沿って循環走行する。
【００２０】
基体層１２は、少なくとも１枚の補強布１２ａを含む。なお、図２では、基体層１２は、さらに基体層１２の長さ方向に沿って埋め込まれた抗張体１３を含んでいる。ただし、抗張体１３は、第一樹脂層１１内に埋め込まれていてもよい。
【００２１】
なお、本開示のエスカレーターは、上述したように、ローラ駆動方式のハンドレール駆動装置を採用しており、例えば、ハンドレール１００と支持軸１５に支持された加圧ローラ１４は、図２に示されるように配置されている。
【００２２】
（第一樹脂層）
第一樹脂層１１の材料としては、良好な触感性、耐汚染性、耐屈曲疲労、耐繰返し伸長、および着色性に優れたゴムまたはウレタンを用いることが好ましい。
【００２３】
このようなゴムとしては、特に限定されないが、例えば、クロロスルホン化ポリエチレン（ＣＳＭ）、クロロプレンゴム（ＣＲ）、スチレンブタンジエンゴム（ＳＢＲ）等の合成ゴム、または、天然ゴムを用いることができる。
【００２４】
このようなウレタンとしては、特に限定されないが、例えばポリエーテルウレタン、ポリエステルウレタン等の熱可塑性ポリウレタンエラストマーを用いることができる。
【００２５】
また、第一樹脂層１１は、直接雨等にさらされることを考慮すれば、ハンドレール１００の内部への吸水を防ぐため、吸水性が低くなるように上記ゴムまたは上記ウレタンの配合剤を適宜選択することが好ましい。
【００２６】
また、第一樹脂層１１では、乗降者の手垢等の汚染により細菌、カビ等が繁殖する。このため、抗菌剤を上記ゴムまたはウレタンに配合することが好ましい。
【００２７】
本実施の形態においては、第一樹脂層１１は、抗菌剤を含んでおり、抗菌剤としては、非溶出型抗菌剤が好ましい。ここで、非溶出型抗菌剤とは、基材から抗菌成分を溶出しない抗菌剤である。非溶出型抗菌剤としては、抗菌作用を示す金属または金属イオンを無機系担体、有機系担体等の担体に担持させてなるものが挙げられ、抗菌作用を示す金属または金属イオンを無機系担体に担持させてなる非溶出型金属系無機抗菌剤が好ましい。
【００２８】
非溶出型金属系無機抗菌剤は、吸湿だけでは無機系担体に担持させた金属または金属イオンを溶出せず、金属イオンの触媒作用によって、湿気に含まれる溶存酸素が活性酸素に変わり、その活性酸素により菌を死滅させる。非溶出型金属系無機抗菌剤は、金属イオンを放出せず、抗菌の持続性に優れるため、長期間使用するハンドレールの第一樹脂層に使用するのに好ましい。
【００２９】
金属または金属イオンとしては、抗菌作用を有するものであれば特に限定されないが、銀、銅、亜鉛等が挙げられる。抗菌力の観点からは、銀が好ましい。
【００３０】
無機系担体としては、シリカゲル、リン酸カルシウムおよびリン酸ジルコニウムからなる群から選択される少なくとも１種を主成分として含むことが好ましい。
【００３１】
非溶出型抗菌剤の含有量は、非溶出型抗菌剤中の金属成分が第一樹脂層１１に対して０．０１質量％以上であり、０．０５質量％以上であってもよく、０．１質量％以上であってもよく、０．５質量％以上であってもよく、１．０質量％以上であってもよい。非溶出型抗菌剤中の金属成分が第一樹脂層１１に対して０．０１質量％未満の場合、十分な抗菌効果が認められないからである。
【００３２】
また、非溶出型抗菌剤全体（担持物の場合、担体を含む）の含有量は、１５質量％以下であり、１０質量％以下であってもよく、５．０質量％以下であってもよく、３．０質量％以下であってもよく、１．０質量％以下であってもよい。非溶出型抗菌剤全体の含有量が１５質量％を超える場合、第一樹脂層１１の物性が低下するためである。
【００３３】
上記の非溶出型抗菌剤を含有するゴムまたはウレタンを混練する場合の混練方法としては、ゴムではバンバリーミキサ、タンブラー、加圧ニーダ、混練押出機、オープンロール等の周知の混練機を用いて均一に混練する方法が挙げられ、ウレタンでは混練押出機を用いて均一に混練する方法が挙げられる。
【００３４】
（基体層）
基体層１２は、複数枚の補強布１２ａにより形成されていてもよい。
【００３５】
補強布１２ａの構成材としては、特に限定されるものではなく、例えば、綿織物（帆布）、または、ポリエステル繊維、アラミド繊維等の化学繊維の織物を用いることができる。耐吸水性、耐摩耗性、寸法安定性、耐微生物分解性、入手容易性、価格変動等の点においては、綿織物よりも化学繊維の織物の方がより好ましい。
【００３６】
抗張体１３としては、特に限定されるものではなく、スチールコード、スチールテープ等の金属製やアラミド繊維または強力人絹（レーヨン）等の化学繊維製のものを用いることができる。また、屈曲が激しいハンドレールまたは屋外用ハンドレールの場合、金属製抗張体であると屈曲が難しいまたは金属腐食の可能性があるため、アラミド繊維または強力人絹（レーヨン）等の化学繊維製のものを用いる方がより望ましい。
【００３７】
本実施の形態では、抗張体は１層からなる。ただし、ハンドレールをエスカレーターに適用した場合、エスカレーター用のハンドレールには湾曲部があるため、湾曲できる柔軟性は必要となる。その柔軟性が失われないのであれば、ハンドレールは２層以上の抗張体を備えていてもよい。
【００３８】
また、抗張体の材料としては、例えば、金属（ステンレス、鉄等）、化学繊維等を用いることができる。化学繊維を用いる場合、抗張体の柔軟性を確保できるので、複数の抗張体を配置してもよい。
【００３９】
＜ローラ＞
本開示のローラは、エスカレーターの加圧ローラとして用いられる部材である。
【００４０】
図３を参照して、加圧ローラ１６は、ボス１８と、ボス１８の外周に設けられた第二樹脂層１７と、を備える。
【００４１】
（第二樹脂層）
第二樹脂層１７の材料としては、特に限定されないが、例えば、クロロスルホン化ポリエチレン（ＣＳＭ）、クロロプレンゴム（ＣＲ）、スチレンブタンジエンゴム（ＳＢＲ）等の合成ゴム、または、天然ゴムを用いることができる。また、熱可塑性ポリウレタンエラストマー、熱可塑性ポリオレフィンエラストマー、熱可塑性ポリエステルエラストマー、熱可塑性ポリアミドエラストマー等の熱可塑性エラストマーを用いてもよい。
【００４２】
また、第二樹脂層１７では、タイプＡデュロメーター硬さが６０以上９５以下の合成樹脂が好ましい。タイプＡデュロメーター硬さが６０未満の場合、ローラの耐久性が低くなる可能性がある。タイプＡデュロメーター硬さが９５を超える場合、ハンドレール表面を傷つける可能性がある。ここで、タイプＡデュロメーター硬さとは、ＪＩＳ−Ｋ  ６２５３に規定されるタイプＡデュロメーターによって測定される硬度のことである。
【００４３】
また、第二樹脂層１７では、乗降者の手垢等の汚染により細菌、カビ等がハンドレールに付着し、それがローラと接触して、ローラに転写する。このため、抗菌剤を第二樹脂層１７に配合することが好ましい。
【００４４】
本実施の形態においては、少なくとも第二樹脂層１７は、抗菌剤を含んでおり、駆動ローラが抗菌剤を含んでいてもよい。抗菌剤としては、溶出型抗菌剤が好ましい。ここで、溶出型抗菌剤とは、基材から抗菌成分を溶出する抗菌剤である。溶出型抗菌剤としては、抗菌作用を示す金属または金属イオンを無機系担体、有機系担体等の担体に担持させてなるものが挙げられ、抗菌作用を示す金属または金属イオンを無機系担体に担持させてなる溶出型金属系無機抗菌剤が好ましい。
【００４５】
溶出型金属系無機抗菌剤は、吸湿することで無機系担体に担持した金属または金属イオンを溶出し、溶出した金属イオンが菌の細胞膜および膜タンパク質に結合し、損傷を与えて、菌の機能を阻害し死滅させる。溶出型金属系無機抗菌剤は、金属イオンを放出するため、抗菌性に優れる。しかし、金属イオンが消失するため、抗菌の持続性は、非溶出型金属系無機抗菌剤と比較すると短いため、定期的に交換するローラに使用するのに好ましく、溶出した抗菌剤をローラに接触しているハンドレールに転写することもできるため、さらに好ましい。
【００４６】
金属または金属イオンとしては、抗菌作用を有するものであれば特に限定されないが、銀、銅、亜鉛等が挙げられる。抗菌力の観点からは、銀が好ましい。
【００４７】
無機系担体としては、ゼオライトおよびガラスからなる群から選択される少なくとも１種を主成分として含むことが好ましい。
【００４８】
溶出型抗菌剤の含有量は、溶出型抗菌剤中の金属成分が第二樹脂層１７に対して０．０１質量％以上であり、０．０５質量％以上であってもよく、０．１質量％以上であってもよく、０．５質量％以上であってもよく、１．０質量％以上であってもよい。溶出型抗菌剤中の金属成分が第二樹脂層１７に対して０．０１質量％未満の場合、十分な抗菌効果が認められないからである。
【００４９】
また、溶出型抗菌剤全体（担持物の場合、担体を含む）の含有量は、４０質量％以下であり、３５質量％以下であってもよく、３０質量％以下であってもよく、２５質量％以下であってもよく、２０質量％以下であってもよい。非溶出型抗菌剤全体の含有量が４０質量％を超える場合、第二樹脂層１７の物性が低下するためである。
【００５０】
上記の溶出型抗菌剤を含有するローラの成形方法としては、特に限定されないが、まずボス１８となる材料を前もって成形型内に入れ、上記の樹脂および抗菌剤の配合物を成形型内に入れて成形するのが好ましい。
【００５１】
また、第二樹脂層１７は、上記の溶出型抗菌剤が当該第二樹脂層全体に含まれる形態のほか、第二樹脂層の表層部分にのみ含まれる形態を採ることができる。
【００５２】
このようなエスカレーターの構成によって、ハンドレールには非溶出型抗菌剤を使用しているため、吸水による各層間の接着の低下や抗張体の腐食を防ぐ効果がある。また、加圧ローラに、溶出型抗菌剤を使用しているため、加圧ローラ自体が抗菌され、かつ溶出した金属成分がハンドレールへ転写することで、ハンドレールの抗菌性および抗菌持続性が向上する。
【実施例】
【００５３】
以下、実施例を挙げて本開示を詳細に説明するが、本開示はこれらに限定されるものではない。【００５４】
＜実施例１、比較例１〜３＞
（ハンドレールの第一樹脂層の模擬ウレタンシートの作製）
熱可塑性ポリエーテルウレタン（ＴＰＵ）（ＢＡＳＦ社製、商品名：エラストラン１１９０ＡＴＲ）に、表１に示す組成の割合の各成分を混合し、射出成形機（日精樹脂工業（株）社製、ＮＥＸ１４０）を用いて実施例１および比較例１〜３のハンドレールの第一樹脂層の模擬ウレタンシート（以下、「ハンドレールシート」と記載する。）を作製した。射出成形の基本条件としては、シリンダー温度を２１０℃、金型温度を４０℃、射出速度を５０ｍｍ／ｓとした。【００５５】
【表１】
0006961134.tif 000002
【００５６】
（ローラの第二樹脂層の模擬ウレタンシートの作製）
熱可塑性ポリエーテルウレタン（ＴＰＵ）（ＢＡＳＦ社製、商品名：エラストラン１１９０ＡＴＲ）に、表１に示す組成の割合の各成分を混合し、射出成形機（日精樹脂工業（株）社製、ＮＥＸ１４０）を用いて実施例１および比較例１〜３のローラの第二樹脂層の模擬ウレタンシート（以下、「ローラシート」と記載する。）を作製した。射出成形の基本条件としては、シリンダー温度を２１０℃、金型温度を４０℃、射出速度を５０ｍｍ／ｓとした。【００５７】
＜溶出量評価＞
実施例１および比較例１〜３の各ハンドレールシートおよび各ローラシートについて、以下の評価を行った。なお、上記各ハンドレールシートおよび上記各ローラシートは、縦１０ｃｍ×横１０ｃｍ×厚み２ｍｍのものを使用した。【００５８】
上記各ハンドレールシートおよび上記各ローラシートを、３０℃のイオン交換水１Ｌに１００時間浸漬させて、銀イオンの溶出量を評価した。結果を表２に示す。ハンドレールシートの抗菌持続性がある場合を「Ａ」、ハンドレールシートの抗菌持続性がない場合を「Ｂ」と示した。なお、各サンプルのｎ数は３であり、表２の値はそれらの平均値である。【００５９】
【表２】
0006961134.tif 000003
【００６０】
表２の結果より、実施例１におけるハンドレールシートからは銀イオンがほとんど溶出しておらず、ローラシートからは銀イオンが溶出している。したがって、実施例１のハンドレールシートおよびローラシートを接触して使用することにより、ハンドレールシートの抗菌持続性は向上する。また、ローラシートからハンドレールシートへの菌の転写が抑制されることが推測される。【００６１】
一方、比較例１は、ハンドレールシートおよびローラシートに抗菌剤を含有していないことから、ハンドレールシートおよびローラシートを接触して使用しても、ハンドレールシートの抗菌持続性は向上しない。【００６２】
比較例２は、ハンドレールシートに非溶出型抗菌剤を使用しているが、ローラシートに抗菌剤を含有していないことから、ローラシートからの銀イオンの溶出はなく、ハンドレールシートおよびローラシートを接触して使用しても、ハンドレールシートの抗菌持続性は向上しない。【００６３】
比較例３は、ローラシートに抗菌剤を含有しておらず、ハンドレールシートの抗菌剤として溶出型のガラス抗菌剤を使用していることから、ハンドレールシートおよびローラシートを接触して使用しても、ハンドレールシートの抗菌持続性は向上しない。【００６４】
今回開示された実施の形態および実施例はすべての点で例示であって制限的なものではないと考えられるべきである。本開示の範囲は上記した説明ではなくて請求の範囲によって示され、請求の範囲と均等の意味および範囲内でのすべての変更が含まれることが意図される。
【符号の説明】
【００６５】
１  ハンドレール、２  駆動ローラ、３  加圧ローラ、１０  エスカレーター、１１  第一樹脂層、１２  基体層、１２ａ  補強布、１３  抗張体、１４  加圧ローラ、１５  支持軸、１６  加圧ローラ、１７  第二樹脂層、１８  ボス、１００  ハンドレール。
【要約】
ハンドレール、および、前記ハンドレールに接触するローラを備えるエスカレーターであって、前記ハンドレールは、前記ハンドレールの表面を覆う第一樹脂層を備え、前記ローラは、前記ローラの表面を覆う第二樹脂層を備え、前記第一樹脂層および前記第二樹脂層は、抗菌剤を含有している、エスカレーター。【図１】
0006961134.tif 000004
【図２】
0006961134.tif 000005
【図３】
0006961134.tif 000006